(57)【要約】【課題】油圧プレス機等の大掛かりな設備を使用することなく、簡易な切断器具を使用して確実にフレキシブルプリント基板の切り離しを行うことができる基板の切り離し方法及び切り離し装置を提供する。【解決手段】ワーク３には、部品搭載用のＦＰＣ（フレキシブルプリント基板）３ｅが溝３ｆにより周囲の補助部分から分離されると共に、橋部３ａにより補助部分と接続されている。位置決めピン１と、位置決め穴２ｂ、３ｂとにより位置決めをして、ベースボード１とトップボード２との間に、ワーク３を挟み込むように固定する。そして、トップボードスリット１ａからカッターナイフ等の切断器具を挿入して、橋部３ａを切断することにより、ＦＰＣ３ｅの切り離しを行う。【選択図】図１
2008053277.tif 000002
【特許請求の範囲】
【請求項１】
シート状の基材に設けられ溝により分離されると共に前記溝を横断する複数個の橋部により周囲と連結された複数個の基板部を前記基材から切り離す方法において、前記基材の各橋部に対応する位置に夫々スリットが設けられたベースボード上に、各スリットと各橋部とが整合するように前記基材を搭載する工程と、前記ベースボードの各スリットに対応する位置にスリットが設けられたトップボードを前記基材上に配置し前記ベースボードに固定する工程と、前記トップボード又は前記ベースボードのスリットから切断器具を挿入して前記橋部を切断する工程と、を有することを特徴とする基板の切り離し方法。
【請求項２】
前記橋部の切断工程において、前記トップボード及び前記ベースボードの各スリットが平面視で各橋部を横断し且つ前記基板部とは重合しないことを特徴とする請求項１に記載の基板の切り離し方法。
【請求項３】
前記トップボード及び前記ベースボードの各スリットの一方の長縁が、平面視で前記基板部の外縁上に延在していることを特徴とする請求項２に記載の基板の切り離し方法。
【請求項４】
前記切断器具は、カッターナイフ又ははさみであることを特徴とする請求項１乃至３のいずれか１項に記載の基板の切り離し方法。
【請求項５】
前記基板部は、フレキシブルプリント基板であることを特徴とする請求項１乃至４のいずれか１項に記載の基板の切り離し方法。
【請求項６】
シート状の基材に設けられ溝により分離されると共に前記溝を横断する複数個の橋部により周囲と連結された複数個の基板部を前記基材から切り離す装置において、前記基材の各橋部に対応する位置に夫々スリットが設けられたベースボードと、このベースボードの各スリットに対応する位置にスリットが設けられたトップボードと、前記トップボード及び前記ベースボードのスリットに挿入可能な切断器具と、を有し、前記ベースボード上に各スリットと各橋部とが整合するように前記基材を搭載し、前記基材上に前記トップボードを配置して前記ベースボードに固定し、前記トップボード又は前記ベースボードのスリットから挿入した前記切断器具により前記橋部を切断することを特徴とする基板の切り離し装置。
【請求項７】
前記橋部の切断時に、前記トップボード及び前記ベースボードの各スリットが平面視で各橋部を横断し且つ前記基板部とは重合しないことを特徴とする請求項６に記載の基板の切り離し装置。
【請求項８】
前記トップボード及び前記ベースボードの各スリットの一方の長縁が、平面視で前記基板部の外縁上に延在していることを特徴とする請求項７に記載の基板の切り離し装置。
【請求項９】
前記切断器具は、カッターナイフ又ははさみであることを特徴とする請求項６又は７に記載の基板の切り離し装置。
【請求項１０】
前記基板部は、フレキシブルプリント基板であることを特徴とする請求項６乃至８のいずれか１項に記載の基板の切り離し装置。
【発明の詳細な説明】
【技術分野】
【０００１】
本発明は、基板の切り離し方法及び切り離し装置に関し、特に、基材に橋状の結合部分を介して連結された自動部品搭載用のフレキシブルプリント基板（Flexible Printed Circuit：ＦＰＣ）を、前記基材から切り離すための基板の切り離し方法及び切り離し装置に関する。
【背景技術】
【０００２】
従来、基材に橋状の結合部分を介して連結された自動部品搭載用のフレキシブルプリント（Flexible Printed Circuit：ＦＰＣ）の切り離しにおいては、ＦＰＣ毎に異なるアタッチメント（抜き型）を作成し、油圧等を使用した大型のプレス装置を使用して切り離しを行っていた。
【０００３】
特許文献１においては、ＦＰＣをカールさせることなく切り離すことができるＦＰＣの処理方法が記載されている。特許文献１に記載の従来のＦＰＣの処理方法においては、複数のＦＰＣを所定の間隔を隔てて整列したＦＰＣアレイを受け部材上に位置決めし、選択された一つのＦＰＣを吸着搬送装置により受け部材上に押さえつけると共に吸着する。そして、切断装置を使用してＦＰＣをＦＰＣアレイから切り離す。
【０００４】
【特許文献１】特開２００２−１５７７２４号公報
【発明の開示】
【発明が解決しようとする課題】
【０００５】
しかしながら、上述の従来技術には以下に示すような問題点がある。
【０００６】
従来のＦＰＣの切断装置においては、第１に、油圧プレス機等の大型の動力設備を必要とするため、設備が無い場合又は増産対応で設備が不足している場合には、ＦＰＣが切断できないという問題点があった。また、第２の問題点は、第１の問題点に対する対処法として、カッターナイフ又ははさみ等による簡易的な切断方法を利用した切断が可能ではあるが、それらのみでは、特に複雑な形状部分の場合に、ＦＰＣの必要な部分を破損してしまい易いという問題点があった。即ち、従来技術においては、これらの簡易な方法を用いることにより、補助部分に連結されたＦＰＣに対して、自動部品搭載用の必要な部分のみを確実に切り離すことができなかった。
【０００７】
本発明はかかる問題点に鑑みてなされたものであって、油圧プレス機等の大掛かりな設備を使用することなく、簡易な切断器具を使用して確実にフレキシブルプリント基板の切り離しを行うことができる基板の切り離し方法及び切り離し装置を提供することを目的とする。
【課題を解決するための手段】
【０００８】
本発明に係る基板の切り離し方法は、シート状の基材に設けられ溝により分離されると共に前記溝を横断する複数個の橋部により周囲と連結された複数個の基板部を前記基材から切り離す方法において、前記基材の各橋部に対応する位置に夫々スリットが設けられたベースボード上に、各スリットと各橋部とが整合するように前記基材を搭載する工程と、前記ベースボードの各スリットに対応する位置にスリットが設けられたトップボードを前記基材上に配置し前記ベースボードに固定する工程と、前記トップボード又は前記ベースボードのスリットから切断器具を挿入して前記橋部を切断する工程と、を有することを特徴とする。
【０００９】
また、前記橋部の切断工程において、前記トップボード及び前記ベースボードの各スリットが平面視で各橋部を横断し且つ前記基板部とは重合しないようにして、前記橋部を切断することができる。更に、前記トップボード及び前記ベースボードの各スリットの一方の長縁が、平面視で前記基板部の外縁上に延在していることが好ましい。
【００１０】
また、前記切断器具は、カッターナイフ又ははさみとすることができる。
【００１１】
前記基板部は、フレキシブルプリント基板とすることができる。
【００１２】
本発明に係る基板の切り離し装置は、シート状の基材に設けられ溝により分離されると共に前記溝を横断する複数個の橋部により周囲と連結された複数個の基板部を前記基材から切り離す装置において、前記基材の各橋部に対応する位置に夫々スリットが設けられたベースボードと、このベースボードの各スリットに対応する位置にスリットが設けられたトップボードと、前記トップボード及び前記ベースボードのスリットに挿入可能な切断器具と、を有し、前記ベースボード上に各スリットと各橋部とが整合するように前記基材を搭載し、前記基材上に前記トップボードを配置して前記ベースボードに固定し、前記トップボード又は前記ベースボードのスリットから挿入した前記切断器具により前記橋部を切断することを特徴とする。
【００１３】
また、前記橋部の切断時に、前記トップボード及び前記ベースボードの各スリットが平面視で各橋部を横断し且つ前記基板部とは重合しないようにして、前記橋部を切断することができる。更に、前記トップボード及び前記ベースボードの各スリットの一方の長縁が、平面視で前記基板部の外縁上に延在していることが好ましい。
【００１４】
また、前記切断器具は、カッターナイフ又ははさみとすることができる。
【００１５】
また、前記基板部は、フレキシブルプリント基板とすることができる。
【発明の効果】
【００１６】
本発明によれば、シート状の基材に設けられ溝により分離されると共に溝を横断する複数個の橋部により周囲と連結された複数個の基板部を基材から切り離す方法において、油圧等を利用したプレス装置等の大がかりな設備を使用しておらず、カッターナイフ等の簡易な切断器具により基板部の切り離しが可能となる。更に、橋部をトップボード又はベースボードに設けられたスリットを介して切断することで、スリットが切断器具の移動範囲を制限するため、基板部を誤って切断し破損してしまうことを防止することができる。また、切断器具を例えばトップボードのスリットから挿入した場合には、ベースボードに設けられたスリットは、切断のために挿入された切断器具をベースボード表面上に止めないことにより、より確実に橋部の切断を行うことができる。
【発明を実施するための最良の形態】
【００１７】
以下、本発明の実施の形態について、添付の図面を参照して具体的に説明する。図１は、本発明の実施形態に係るフレキシブルプリント基板の切り離し装置を示す斜視図、図２は、本実施形態におけるベースボードを示す斜視図である。
【００１８】
図１及び図２に示すように、本実施形態に係るフレキシブル基板の切り離し装置は、ベースボード１と、このベースボード１の上方に配置されたトップボード２と、図示はされていないＦＰＣを基材から切り離すための切断器具とからなる。また、ベースボード１とトップボード２との間には、ワーク３が搭載されている。
【００１９】
ベースボード１は矩形の板状の部材からなり、複数個のベースボードスリット１ａが設けられている。このベースボードスリット１ａは、その長手方向に沿って切断器具の刃が挿入可能な形状を有する。ベースボード１には、位置決めピン１ｂが複数個配置されており、その個数は３個以上であることが好ましい。図２に示すように、本実施形態においては、例えばベースボード１の角部の３カ所に、位置決めピン１ｂが設けられている。
【００２０】
ワーク３においては、シート状の基材に複数個（図示例では４個）のＦＰＣ３ｅが設けられ、溝３ｆにより分離されると共に、この溝３ｆを横断する複数個（図示例では８個）の橋部３ａにより周囲に連結されている。即ち、自動部品搭載用の基板部であるＦＰＣ３ｅは、接続部である橋部３ａを介して、ＦＰＣ３ｅの周辺部分にある補助部分に接続されており、ＦＰＣ３ｅと同一の材質からなる補助部分はＦＰＣ３ｅの切り離し後には廃棄される不要部分である。また、ワーク３の４隅には位置決め穴３ｂが設けられており、この位置決め穴３ｂのうち３カ所は、位置決めピン１ｂと対応しており、位置決めピン１ｂに嵌合する。そして、位置決めピン１ｂと位置決め穴３ｂとを嵌合させて、ワーク３をベースボード１上に搭載することにより、ワーク３における橋部３ａと、ベースボードスリット１ａとの位置関係を合わせることができる。この位置関係については、以下で詳述する。なお、ワーク３の位置決め穴３ｂは、少なくとも位置決めピン１ｂの個数以上設けられていればよい。
【００２１】
トップボード２は矩形の板状の部材からなり、ベースボード１に設けられたものと同じパターンのトップボードスリット２ａが設けられている。このトップボードスリット２ａは、トップボード２ａの厚さ方向に貫通したスリットであり、その長手方向に沿って切断器具の刃が挿入可能な形状を有する。また、トップボード２の角部には、位置決めピン１ｂと嵌合する位置決め穴２ｂが位置決めピン１の個数と同数個設けられている。そして、ワーク３の上方から位置決めピン１ｂと位置決め穴２ｂとを合わせることによりトップボード２をベースボード１に固定し、ワーク３をトップボード２とベースボード１とにより挟み込むように固定する。このようにして、ワーク３の橋部３ａと、ベースボードスリット１ａと、トップボードスリット２ａとの位置関係を合わせ、整合させることができる。
【００２２】
次に、図３を参照して、前述のワーク３の橋部３ａと、ベースボードスリット１ａと、トップボードスリット２ａとの位置関係について説明する。図３は、ベースボード１上にワーク３とトップボード２とが順次取り付けられた後に、図１に示す視点Ａからスリット部分を見たときの構成を示す平面図である。
【００２３】
図３は、本実施形態の基板切り離し装置をトップボード上方から平面視するものであるが、トップボードに関しては、トップボードスリット２ａのみ図示しており、その他の部分は省略している。また、トップボード２の背面側に配置されるワークは破線で示してあり、ワークにおける基板部であるＦＰＣの必要部分３ｃは、溝３ｆを隔ててＦＰＣの不要部分３ｄから分離されると共に、溝３ｆを横断する橋部３ａによりにＦＰＣの不要部分３ｄと接続されている。ここで、ＦＰＣの必要部分３ｃは、図２におけるＦＰＣ３ｅと同等のものである。また、図示はしていないが、トップボードスリット２ａには、対応する位置におけるベースボードスリットが平面視で一致している。
【００２４】
図３に示すように、トップボードスリット２ａにより、ＦＰＣの接続部である橋部３ａの一部を視認することができる。トップボードスリット２ａの長手方向の長さは、橋部３ａの幅よりも大きい。また、トップボードスリット２ａは、溝３ｆ上に位置しており、特に、ＦＰＣの必要部分２ａとは平面視で重合していない。更に、トップボードスリット２の長縁のうち、ＦＰＣの必要部分３ｃ側の長縁は、ＦＰＣの必要部分３ｃの外縁、即ちＦＰＣの必要部分３ｃと溝３ｆとの境界上に延在している。図３に示すような配置関係は、他のスリット部分についても同様に成り立つ。
【００２５】
橋部３ａの切断器具として、例えば、カッターナイフ、はさみ等の簡易な器具を使用することができる。このとき、切断器具の刃部がトップボードスリット２ａに挿入可能であり、挿入時に橋部３ａを切断できるような状態にあればよい。
【００２６】
次に、上述の如く構成された本実施形態の動作について、図１乃至図３を参照して説明する。図１に示すように、作業者がベースボード１の位置決めピン１ｂと切断前のワーク３の位置決め穴３ｂとを合わせることにより、ベースボード１に対してワーク３の位置決めを行い、ベースボード１上にワーク３を搭載する。同様に、ベースボード１の位置決めピン１ｂとトップボード２の位置決め穴２ｂとを合わせることにより、ベースボード１に対してトップボード２の位置決めを行い、ワーク３上にトップボード２を取り付け、ベースボード１とトップボード２とによりワーク３を挟み込むように固定する。
【００２７】
このようにして、橋部３ａと、ベースボードスリット１ａと、トップボードスリット２ａとの位置関係が確定し、図３に示すように、トップボードスリット２ａを通して橋部３ａが明確に視認できる状況になる。そして、作業者は、トップボードスリット２ａからカッターナイフ等の切断器具を挿入し、橋部３ａを切断する。その際、トップボードスリット２ａ又はベースボードスリット１ａは、切断器具の移動方向を制限する。同時に、橋部３ａを切断するときに発生するバリのサイズを抑制することができる。また、ベースボードスリット１ａは、切断のために挿入された切断器具を、ベースボード表面上に止めない。なお、ベースボードスリット１ａはトップボードスリット２ａのように、その厚さ方向にベースボード１ａを貫通している必要はなく、厚さ方向に適当な深さを有する溝状のものでもよい。また、作業者は、ベースボードスリット１ａからカッターナイフ等の切断器具を挿入し、橋部３ａを切断することもできる。
【００２８】
作業者は、トップボードスリット２ａから見て判断できるワーク３の橋部３ａを全て切断し、トップボード２を取り外し、ワーク３から基板部であるＦＰＣの必要部分３ｃを切り離し、ＦＰＣの不要部分３ｄから分離することができる。
【００２９】
本実施形態によれば、油圧等を使用したプレス装置等を使用することなく、汎用のカッターナイフ等の簡易な切断器具を使用することにより、ＦＰＣ３ｅをワーク３からの切り離すことができる。更に、トップボードスリット２ａ又はベースボードスリット１ａにより、カッターナイフ等の切断器具の移動範囲が制限されるため、ＦＰＣの必要部分３ｃにスリットをかけないことにより、ＦＰＣの必要部分３ｃを破損せずに確実に切り離すことができる。また、ベースボードスリット１ａは、切断のために挿入された切断器具を、ベースボード表面上に止めないため、より確実に橋部３ａの切断作業を行うことができる。
【００３０】
このようにして、部品の自動搭載に対応したフレキシブルプリント基板の切り離しにおいて、必要な搭載部分と廃棄部分とを部品搭載後に分割することができる。
【００３１】
なお、本実施形態においては、ＦＰＣの切り離し装置について説明したが、ワーク３と同様の形態を有するものであれば、ＦＰＣ以外の基板の切り離しについても適用することができる。
【図面の簡単な説明】
【００３２】
【図１】本発明の実施形態に係るフレキシブルプリント基板の切り離し装置を示す斜視図である。
【図２】本実施形態におけるベースボードを示す斜視図である。
【図３】ベースボード上にワークとトップボードとが順次取り付けられた後に、図１に示す視点Ａからスリット部分を見たときの構成を示す平面図である。
【符号の説明】
【００３３】
１；ベースボード
１ａ；ベースボードスリット
１ｂ；位置決めピン
２；トップボード
２ａ；トップボードスリット
２ｂ、３ｂ；位置決め穴
３；ワーク
３ａ；橋部
【図１】
2008053277.tif 000003
【図２】
2008053277.tif 000004
【図３】
2008053277.tif 000005